(57)【要約】【課題】紙幣搬送路内で発生する紙幣のスリップによる紙幣識別不良を無くし、紙幣の金種別収納を行わずに１つの紙幣収納部で混合収納する紙幣収納装置を提供するものである。【解決手段】紙幣収納装置１０内の紙幣搬送路２０は、搬送される紙幣を起立状態に保持する紙幣ガイド板２５と、紙幣を搬送する駆動部３０と、駆動部３０に対向し、駆動部３０と紙幣を挟持する位置に設けられた従動部３３とで形成され、紙幣識別部２４が含まれた紙幣搬送路２０内に設けられた従動部３３の一部に従動部３３の作動状態を検知する作動検知手段３４を備えた。【選択図】　図１
2004086335.tif 000002
【特許請求の範囲】
【請求項１】
複数の遊技機に隣接され、紙幣を受け入れる遊技媒体貸出機と、
上記遊技媒体貸出機から排出された紙幣を島端まで挟持搬送する紙幣搬送装置と、
上記紙幣搬送装置に連設され、紙幣搬送装置から搬送されてきた紙幣を識別する紙幣識別部が設けられ、紙幣を挟持搬送する紙幣搬送路と、
上記紙幣識別部で真券であると判断された紙幣を収納する紙幣収納部と、
上記紙幣識別部で識別できなかった紙幣を収納するリジェクト部と、
上記紙幣搬送路を紙幣収納部方向またはリジェクト部方向へ紙幣搬送路内部を切り替える振分部と、
上記紙幣識別部により真券であると判断され、上記紙幣搬送路から搬送されてきた紙幣を紙幣収納部方向へ誘導する紙幣誘導部と、
上記紙幣誘導部により誘導された紙幣の後端と当接し、且つ丈長の紙幣の後端を湾曲せしめる位置に設けられた紙幣後端回避部と、
上記紙幣誘導部により誘導された紙幣を紙幣収納部方向へ引き込む紙幣引込部と、
上記紙幣引込部により引き込まれた紙幣を一時待機させる紙幣待機部と、
上記紙幣待機部に待機している紙幣を出入自在に設けられた紙幣押出部の動作により、紙幣収納部へ起立積層状態に順次収納させる機構を具備した紙幣収納装置において、
上記紙幣搬送路は、搬送される紙幣を起立状態に保持する紙幣ガイド板と、紙幣を搬送する駆動部と、上記駆動部に対向し上記駆動部と紙幣を挟持する位置に設けられた従動部とで形成され、上記紙幣識別部が含まれた紙幣搬送路内に設けられた上記従動部の一部に従動部の作動状態を検知する作動検知手段を備えたことを特徴とする紙幣収納装置。
【請求項２】
複数の遊技機に隣接され、紙幣を受け入れる遊技媒体貸出機と、
上記遊技媒体貸出機から排出された紙幣を島端まで挟持搬送する紙幣搬送装置と、
上記紙幣搬送装置に連設され、紙幣搬送装置から搬送されてきた紙幣を識別する紙幣識別部が設けられ、紙幣を挟持搬送する紙幣搬送路と、
上記紙幣識別部で真券であると判断された紙幣を収納する紙幣収納部と、
上記紙幣識別部で識別できなかった紙幣を収納するリジェクト部と、
上記紙幣搬送路を紙幣収納部方向またはリジェクト部方向へ紙幣搬送路内部を切り替える振分部と、
上記紙幣識別部により真券であると判断され、上記紙幣搬送路から搬送されてきた紙幣を紙幣収納部方向へ誘導する紙幣誘導部と、
上記紙幣誘導部により誘導された紙幣の後端と当接し、且つ丈長の紙幣の後端を湾曲せしめる位置に設けられた紙幣後端回避部と、
上記紙幣誘導部により誘導された紙幣を紙幣収納部方向へ引き込む紙幣引込部と、
上記紙幣引込部により引き込まれた紙幣を一時待機させる紙幣待機部と、
上記紙幣待機部に待機している紙幣を出入自在に設けられた紙幣押出部の動作により、紙幣収納部へ起立積層状態に順次収納させる機構を具備した紙幣収納装置において、
上記紙幣収納部は、上記紙幣押出部により押出された紙幣を紙幣待機部の一端との間で起立積層状態に挟持する紙幣挟持板と、
上記紙幣収納部内を摺動可能な第一支持部及び第二支持部と、を有し、
上記第一支持部及び第二支持部は、上記紙幣挟持部を往復自在に摺動させる付勢手段を夫々に備えたことを特徴とする紙幣収納装置。
【発明の詳細な説明】
【０００１】
【発明が属する技術分野】
本発明は、遊技島に設置された遊技媒体貸出機から投入される紙幣を遊技島の島端まで紙幣搬送装置により挟持搬送し、紙幣収納装置の紙幣搬送路内で搬送された紙幣の金種識別を行い、起立積層状態にて順次収納する紙幣収納装置に関する。
【０００２】
【従来の技術】
従来から遊技店においては遊技媒体貸出機に千円紙幣、二千円紙幣、五千円紙幣または一万円紙幣の使用可能となっていて、特に千円紙幣だけを使用可能とした遊技媒体貸出機が多く流通している。そして、千円紙幣だけを使用可能な遊技媒体貸出機に投入された千円紙幣は、遊技島内部で遊技媒体貸出機の背面側に連結された紙幣搬送装置によって遊技島端に設置された島管理装置まで挟持搬送され、島管理装置内に設けられた紙幣収納装置に整列積層状態で収納されるように成しており、島管理装置は島の端部を被う長方形状型の大型の収納体から形成されていた。
【０００３】
また、昨今、多く見られるようになった上記４金種紙幣（千円、二千円、五千円及び一万円）を使用可能とした遊技媒体貸出機が設置された遊技島においては、島端に設置された島管理装置内に設けられた紙幣収納装置内には金種毎に収納可能な金種別金庫が設けられ、金種毎に区別して整列積層状態で収納されるので、千円紙幣のみ対応の紙幣収納装置よりも全体として、さらに大型の収納体が形成されていた。
【０００４】
また、島管理装置内では遊技島内に設置された紙幣搬送装置から搬送されてきた紙幣を、紙幣搬送装置と同様に紙幣搬送路を駆動側と従動側とで形成された搬送手段によって挟持し、紙幣収納装置まで搬送するように形成されている。また、紙幣の搬送途中で行われる紙幣の識別には透過センサーや磁気センサーを含む紙幣識別部が用いられ、金種毎の透過率等から金種判別を行っているが、搬送検知手段（例えば、エンコーダでの駆動側の回転検知）により紙幣の長さを検知する場合には、紙幣搬送手段の駆動側の回転数から得られるパルス数により紙幣の長さを判別するので、搬送検知手段は駆動側に設けられていた。
【０００５】
紙幣収納装置の紙幣収納部内では、少なくとも１つの付勢部材（板バネやスプリング等）により摺動する紙幣挟持板によって、収納された紙幣を一方側に挟持して整列収納させるようになっている。また、収納する紙幣を金種別に収納しない場合には、１つの金庫内に紙幣を収納するので金庫内の収納枚数が増え、紙幣挟持板の可動距離が長くなっていた。
【０００６】
【発明が解決しようとする課題】
しかしながら、遊技場において、遊技島の島端は店員や遊技客等の多くの人が通るため、遊技設備管理者等からは島端に設置される島管理装置の小型化及び４金種に対応した遊技システム（遊技媒体貸出機、紙幣搬送装置、島管理装置や紙幣収納装置）が要望されていた。しかし、紙幣を金種別に収納管理が可能な島管理装置では、金種別収納する金庫が必要になるので紙幣収納装置が大きくなり、結果として島管理装置が大きくなってしまっていた。また、閉店時に店員等が行う１日の集計処理には、紙幣の金種毎に計数可能な紙幣計数機を使用することが多くなり、遊技島においては金種毎に区別して収納する紙幣収納装置ではなく、金種毎に区別した収納を必要としない１つの紙幣収納部を備えた紙幣収納装置が必要となる。
【０００７】
また、現状の紙幣収納装置では遊技島内を搬送されてくる紙幣の金種を混合して収納するように設置した場合、搬送された紙幣が紙幣収納装置内の一時待機部で待機すると金種により紙幣の長さが異なるため、紙幣後端回避部が設けられていても待機している紙幣の後端を確実に湾曲させ、紙幣挟持面と一時待機している紙幣との間に隙間を形成することができず、次に搬送されてくる紙幣が待機している紙幣の後端に追突して、紙幣搬送路内での紙幣詰まり等のトラブルが発生することがあった。
【０００８】
また、紙幣収納装置内に設置された紙幣搬送路の駆動側に搬送検知手段（例えば、回転動作の検知ならば、エンコーダ等）を設け、駆動側の動作から紙幣の長さを判別する場合、紙幣収納装置内の紙幣搬送路では駆動側と従動側との間で紙幣がスリップすることがあり、スリップが生じると真券であってもエラーとして判別されてしまい、リジェクト部へ搬送されてしまうので、判別不良紙幣が多く発生することがあった。
【０００９】
紙幣収納装置の紙幣収納部においては、収納された紙幣を紙幣挟持板で整列収納するようになっているが、紙幣挟持板は付勢部材（板バネやスプリング等）により往復摺動可能に設けられている。しかし、店員等の設備管理者からの要望により紙幣収納装置内に収納可能な紙幣の収納枚数は増加傾向にある。紙幣収納装置内の収納枚数が増加すると紙幣挟持板の可動範囲（往復動作の範囲）も大きくなり、付勢部材に大きな負担が掛かるので付勢部材の寿命が短くなり、付勢部材の断裂等により故障等のトラブルが発生していた。
【００１０】
本発明の目的は、以上の点を鑑み、紙幣搬送路内の駆動部に対向して設けられた従動部の一部に作動検知手段を設けることで紙幣搬送路内において発生する紙幣のスリップが原因となる紙幣の識別不良を無くし、紙幣収納部内に収納する紙幣の収納許容量が増した場合にも確実に収納紙幣を起立積層状態に挟持し収納する摺動可能な紙幣挟持板に使用負荷を軽減させた付勢手段を備えた紙幣収納装置を提供するものである。
【００１１】
【課題を解決するための手段】
本発明の請求項１によれば、複数の遊技機に隣接され、紙幣を受け入れる遊技媒体貸出機と、上記遊技媒体貸出機から排出された紙幣を島端まで挟持搬送する紙幣搬送装置と、上記紙幣搬送装置に連設され、紙幣搬送装置から搬送されてきた紙幣を識別する紙幣識別部が設けられ、紙幣を挟持搬送する紙幣搬送路と、上記紙幣識別部で真券であると判断された紙幣を収納する紙幣収納部と、上記紙幣識別部で識別できなかった紙幣を収納するリジェクト部と、上記紙幣搬送路を紙幣収納部方向またはリジェクト部方向へ紙幣搬送路内部を切り替える振分部と、上記紙幣識別部により真券であると判断され、上記紙幣搬送路から搬送されてきた紙幣を紙幣収納部方向へ誘導する紙幣誘導部と、上記紙幣誘導部により誘導された紙幣の後端と当接し、且つ丈長の紙幣の後端を湾曲せしめる位置に設けられた紙幣後端回避部と、上記紙幣誘導部により誘導された紙幣を紙幣収納部方向へ引き込む紙幣引込部と、上記紙幣引込部により引き込まれた紙幣を一時待機させる紙幣待機部と、上記紙幣待機部に待機している紙幣を出入自在に設けられた紙幣押出部の動作により、紙幣収納部へ起立積層状態に順次収納させる機構を具備した紙幣収納装置において、上記紙幣搬送路は、搬送される紙幣を起立状態に保持する紙幣ガイド板と、紙幣を搬送する駆動部と、上記駆動部に対向し上記駆動部と紙幣を挟持する位置に設けられた従動部とで形成され、上記紙幣識別部が含まれた紙幣搬送路内に設けられた上記従動部の一部に従動部の作動状態を検知する作動検知手段を備えた構成によって目的が達成される。
【００１２】
本発明の請求項２によれば、複数の遊技機に隣接され、紙幣を受け入れる遊技媒体貸出機と、上記遊技媒体貸出機から排出された紙幣を島端まで挟持搬送する紙幣搬送装置と、上記紙幣搬送装置に連設され、紙幣搬送装置から搬送されてきた紙幣を識別する紙幣識別部が設けられ、紙幣を挟持搬送する紙幣搬送路と、上記紙幣識別部で真券であると判断された紙幣を収納する紙幣収納部と、上記紙幣識別部で識別できなかった紙幣を収納するリジェクト部と、上記紙幣搬送路を紙幣収納部方向またはリジェクト部方向へ紙幣搬送路内部を切り替える振分部と、上記紙幣識別部により真券であると判断され、上記紙幣搬送路から搬送されてきた紙幣を紙幣収納部方向へ誘導する紙幣誘導部と、上記紙幣誘導部により誘導された紙幣の後端と当接し、且つ丈長の紙幣の後端を湾曲せしめる位置に設けられた紙幣後端回避部と、上記紙幣誘導部により誘導された紙幣を紙幣収納部方向へ引き込む紙幣引込部と、上記紙幣引込部により引き込まれた紙幣を一時待機させる紙幣待機部と、上記紙幣待機部に待機している紙幣を出入自在に設けられた紙幣押出部の動作により、紙幣収納部へ起立積層状態に順次収納させる機構を具備した紙幣収納装置において、上記紙幣収納部は、上記紙幣押出部により押出された紙幣を紙幣待機部の一端との間で起立積層状態に挟持する紙幣挟持板と、上記紙幣収納部内を摺動可能な第一支持部及び第二支持部と、を有し、上記第一支持部及び第二支持部は、上記紙幣挟持部を往復自在に摺動させる付勢手段を夫々に備えた構成によって目的が達成される。
【００１３】
【発明の実施の形態】
以下、各図面に基づいて、本発明の紙幣収納装置１０の構成について説明する。図１は本発明の紙幣収納装置１０のカバーを省略した紙幣搬送路２０を示す紙幣搬送装置の内部概略説明図である。
本発明の紙幣収納装置１０は、図６を参照すると、複数の遊技台１と遊技媒体貸出機２が設置された遊技島３において、遊技媒体貸出機２に投入された紙幣は遊技島３内部で複数連結接続された紙幣搬送装置４によって、遊技島３の端部に設けられた薄い箱型の島管理装置５まで挟持搬送され、島管理装置５内に設けられた紙幣収納装置１０内の紙幣搬送路２０に渡され、後述する紙幣収納部７０に起立整列積層状態で収納されるように構成されている。
【００１４】
図１を参照すると、上記紙幣収納装置１０の概要構成は、紙幣搬送路２０、紙幣誘導部４０、紙幣引込部５０、紙幣待機部６０、紙幣収納部７０、リジェクト部９０とから構成されている。
始めに紙幣収納部７０について説明する。紙幣収納部７０は略矩形状に形成され、紙幣の長辺を上下にした縦置きの起立積層状態で紙幣収納部７０内に収納するようになっていて、紙幣収納部７０の上面が開口された箱型形状を成し、紙幣収納部７０内部には約１３００枚程度の紙幣を収納することが可能になっている。また、紙幣収納部７０の上面且つ紙幣搬送路２０側端縁上部には、起立積層された紙幣が上方に飛び出さないようにするための飛出防止板１１が開閉部１１ａによって上方に回動自在に設置されている。よって、例え紙幣収納部７０内に順次収納される紙幣が、収納動作中に起立積層状態から飛出しそうになっても飛出防止板１１にて紙幣の上辺を押下されるので、積層状態が維持される。また、飛出防止板１１は開閉部１１ａにより開閉自在に設けられているので、収納された紙幣の回収時にも容易に開閉することができるので、紙幣回収作業の障害になることはないように成している。
【００１５】
上記紙幣収納部７０内の下方には紙幣満杯を検出するための満杯予告センサー１３が設けられている（図５参照）。満杯予告センサー１３は、収納する紙幣の枚数が増加すると後述する紙幣挟持板７３が設けられた第二支持部７２が徐々に後退していき、最大収納枚数に到達する直前の位置で第二支持部７２の側面に当接するような位置に取付けられている（約１２５０枚収納した位置）。尚、満杯予告センサー１３での満杯予告の検出により、店員等に知らせるための音報知装置又は表示装置が動作するように成し、収納された紙幣の回収作業を促すようになっている。
【００１６】
リジェクト部９０には、紙幣搬送路２０の紙幣識別部２４で識別できなかった紙幣を収納するために上部及び側面の一部が大きく開口された略直方体形状を成すリジェクトボックス９１が紙幣収納装置１０内のリジェクト部９０より出し入れ自在で着脱可能に設けられている。遊技島３内の紙幣搬送装置４より搬送されてきた紙幣は、紙幣収納装置１０の紙幣搬送路２０内に設けられた紙幣識別部２４で真偽の判別が行われ、紙幣識別部２４において真券と判別されなかった紙幣は、紙幣搬送路２０内をそのまま搬送され、紙幣搬送路２０の第３湾曲部２３を通過すると、後述する振分部１４のゲート１４ａがリジェクト部９０方向に切り替えた紙幣搬送路２０内をリジェクト部９０の方向へ向かって搬送され、リジェクト部９０に設けられたリジェクトボックス９１内に排出される。振分部１４は、紙幣識別機２４の判別結果によって出力される信号で動作するソレノイドに連動してゲート１４ａが紙幣搬送路２０内の紙幣収納部７０側もしくはリジェクト部９０側を遮断して、紙幣搬送路２０内の搬送方向を切り替えるようになっている。
【００１７】
紙幣搬送路２０から振分部１４のゲート１４ａにより分岐した紙幣収納部７０側の紙幣搬送路２０は、真券を紙幣収納部７０へ収納するための紙幣誘導部４０、紙幣引込部５０、紙幣待機部６０が連設して形成されている。紙幣待機部６０には後述する紙幣押出部６３が出入り自在に設けられている。
【００１８】
紙幣誘導部４０は、紙幣搬送路２０から送られてきた紙幣を後述する紙幣引込部５０まで移送する上下２本のエンドレスの誘導ベルト４１が券回された誘導軸４３と２本の誘導軸４４上に固着して設けられた誘導プーリ４２とで構成され、誘導ベルト４１は上下の誘導プーリ４２に回動自在に巻回されて成し、搬送されてきた紙幣の上下端を上下の誘導ベルト４１と後述する紙幣後端回避部８０とで挟持することで、紙幣引込部５０へ紙幣を誘導するように形成されている。尚、誘導プーリ４２は、誘導軸４４上で後述する２個の引込プーリの間に固着形成されている。
【００１９】
紙幣引込部５０は、紙幣誘導部４０の誘導軸４４上に配され、紙幣誘導部４０と駆動を共有した上下２本のエンドレスの引込ベルト５１が引込プーリ５２に回動自在に巻回されて成し、紙幣待機部６０の紙幣係止片６１まで確実に紙幣を引き込むように構成され、２個の引込プーリ５２の間には２個の小径の誘導プーリ４２が固着され、その中間には引込ローラが設けられている（図２参照）。尚、引込プーリ５２の直径は、上記誘導プーリ４２直径よりも大きく形成されているため、紙幣引込部５０は紙幣誘導部４０と紙幣後端回避部８０とで形成される紙幣挟持面Ｐよりも紙幣収納部７０方向に突出し、紙幣挟持面Ｐと段部５３を形成している。これにより紙幣待機部６０に保留された高額紙幣Ｈ（丈長）や紙幣後端回避部８０に届かない千円紙幣Ｌ（短い丈）の後端と紙幣挟持面Ｐとの間に隙間を形成し、搬送されてくる後続の紙幣の追突を避けるようになっているので、搬送されてくる後続の紙幣も紙幣待機部６０の紙幣係止片６１まで確実に引き込むことが可能になる。
【００２０】
紙幣待機部６０は、中心部が大きく開口した開口枠６２、紙幣押出部６３とスタックモータ６４で構成されている。紙幣押出部６３は、紙幣待機部６０の開口枠６２に待機している紙幣を開口枠６２から紙幣収納部７０内に順次押し出していくもので、開口枠６２に対して出入自在に設けられている。紙幣押出部６３は上下２本の引込ベルト５１の間に配設され、開口枠６２よりも小さく形成されていて、スタックモータ６４の駆動により開口枠６２を出入りするように成している。
【００２１】
一方、図２を参照して、紙幣誘導部４０には、紙幣待機部６０で保留された高額紙幣Ｈの後端が当接する位置及び誘導軸４３上に固着された誘導プーリ４２と引込プーリ５２の間で誘導ベルト４１に当接回動する紙幣後端回避部８０が設けられている。
紙幣後端回避部８０は、回避軸８１上に配された押出ローラ８３、回避ローラ８２と回避軸８１で構成されている。誘導ベルト４１と当接した押出ローラ８３は、回避軸８１の上下に適宜間隔をあけて固着され、回避軸８１上で上下に固着された２つ押出ローラの内側には、ゴム系の弾性部材が適宜間隔をあけて外周上に配設された回避ローラ８２が固着連結されている。回避ローラ８２の外周上に配設された弾性部材の先端軌跡は、押出ローラ８３の外周面よりも外側になるように設けられている。回避ローラ８２は紙幣待機部６０に保留された高額紙幣Ｈの後端と当接する位置に設けられているので、誘導ベルト４１と押出ローラ８３で形成される紙幣挟持面Ｐより紙幣収納部７０内部の方向に向かって、保留された高額紙幣Ｈの後端を湾曲させた姿勢を維持させる。これにより搬送されてくる後続の紙幣の先端が追突することなく、紙幣待機部６０へ導かれていくようになっている。また、回避ローラ８２は上下に二個、適宜間隔をおいて固着したが中央の一個でもよい。
【００２２】
続いて、図１、図３、図６を参照して、本発明の要旨である従動部３３の一部に従動部３３の作動状態を検知する作動検知手段３４が設けられた紙幣搬送路２０の構成について説明する。
紙幣搬送路２０は、遊技島３内の紙幣搬送装置４と連結されて設けられた紙幣受入口１２で紙幣搬送装置４から挟持搬送されてくる紙幣Ｂを受け入れるようになっていて、紙幣受入口１２後方から相互に湾曲した第一湾曲部２１、第二湾曲部２２と第三湾曲部２３からなる一部が略Ｓ字状に形成され、立設配置された搬送ガイド板２５で構成されている。
また、第一湾曲部２１の後方近傍には搬送されてくる紙幣の透過率の測定により紙幣の真偽及び金種を識別する紙幣識別部２４が設けられ、金種毎に枚数を計数するようになっていて、紙幣識別部２４は紙幣の詰まり等のトラブル対応や紙幣識別部２４内の清掃等が行えるように紙幣搬送路２０の一端を開放可能に設けられている。さらに紙幣搬送路２０の第三湾曲部２３には紙幣通過検出センサー２６が設けられ、紙幣搬送路２０内の紙幣通過を検知することができるようになっている。
【００２３】
そして、紙幣搬送路２０は、第二湾曲部２２を経て、第三湾曲部２３の後方に設けられた振分部１４のゲート１４ａの動作により、紙幣搬送路２０内を搬送される紙幣が紙幣収納部７０もしくはリジェクト部９０へ搬送されるように成している。よって、真券である紙幣は搬送ガイド板２５に沿って搬送ベルト（２７ａ、２７ｂ、２７ｃ）と搬送ローラ２８との挟持により紙幣待機部６０へと搬送されていく。紙幣搬送路２０の一部を略Ｓ字状に形成することにより、紙幣搬送路２０内での紙幣の識別に必要な十分な紙幣搬送路２０の長さを確保すると共に、紙幣収納装置１０全体の奥行きを抑えることが可能になり、結果として島管理装置５を薄形化することが可能になる。また、紙幣収納装置１０内の紙幣搬送路２０を紙幣識別に必要な長さを確保しつつ、出来るだけ短く構成することで、紙幣収納部７０をより大きく構成することができ、収納可能枚数を増やすことができる。
【００２４】
紙幣搬送路２０内は、紙幣の挟持搬送手段として、駆動部（第一駆動部３１、第二駆動部３２及び第三駆動部３３）と従動部３３で構成され、駆動部と従動部３３とで紙幣を挟持して搬送するように成している。駆動部としての第一駆動部３０は、第一湾曲部２１の外円側及び第二湾曲部２２の内円側にかけて上下２箇所で紙幣を挟持するように設けられている。第二駆動部３１は第二湾曲部２２の外円側に設けられ、搬送されてくる紙幣の中心に当接するようになっている。第三駆動部３２は第三湾曲部２３の外円側を振分部１４まで紙幣の中心に当接する位置で紙幣を挟持搬送するように設けられている。
【００２５】
第一駆動部３０は、二本の搬送軸３０ａと一本の駆動軸３０ｂ、駆動軸３０ｂが接続された搬送モータ３０ｃ、一本の搬送軸３０ａ上に上下適宜間隔をあけて固着された二個の搬送プーリ３０ｄ、駆動軸３０ｂ上に上下適宜間隔をあけて固着された二個の駆動プーリ３０ｅと、駆動軸３０ｂ上で二個の駆動プーリ３０ｅの間に固着された駆動ローラ３０ｆ、そして駆動プーリ３０ｅと２本の搬送軸３０ａ上に設けられた搬送プーリ３０ｄに巻回され、紙幣搬送路２０内で紙幣の上端と下端の位置に合わせて上下に設けられた二本の搬送ベルト２７ａで形成されている。また、搬送されてくる紙幣の上端と下端とを挟持して搬送するために、第一駆動部３０の対向側には従動部３３として従動軸３３ａ上に固着され、搬送ベルト２７ａに当接する従動ローラ３３ｂが２個設けられている。
【００２６】
さらに従動軸３３ａの最下部近傍には従動部３３の作動状態を検知する作動検知手段としての回転検知部３４が設けられている。回転検知部３４は複数の切り込みが施され、従動軸３３ａと、従動軸３３ａ上に設けられた回転板３４ａと、従動軸３３ａに隣接して設けられた回転検出センサー３４ｂとにより構成されている。回転板３３ａが回転検出センサー３４ｂの中心にある略コの字形状の開口部３４ｃ内を挿通するようになっている。そして、紙幣搬送路２０の第一駆動部３０の動作により従動軸３３ａに設けられた回転板３３ｂが動作し、回転検出センサー３４ｂで従動軸３３ａの回転状態を検出することで、紙幣の長さを検知している。また、ここでは、回転検出部３４を回転板３４ａと略コの字形状の回転検出センサー３４ｂによる構成で説明したが、回転板と磁気センサーの組み合わせ等で構成しても良い。
【００２７】
第二駆動部３１は、第一駆動部３０の駆動軸３０ｂの下方に設けられた歯車３０ｇと嵌合する第二駆動部３１の駆動軸３１ａ下端に設けられた歯車３１ｂにより第一駆動部３０の搬送モータ３０ｃの回転を伝達し駆動している。第二駆動部３１に固着された駆動プーリ３１ｃには、搬送ベルト２７ｂが巻回され、第一駆動部３０の駆動軸３０ｂに固着して設けられた駆動ローラ３０ｆに対向し当接するように設けられ、搬送されてくる紙幣のほぼ中央を挟持して、紙幣を湾曲させて搬送方向を変化させる。
【００２８】
第三駆動部３２は、第三湾曲部２３において、第一駆動部３０及び第二駆動部３１と別駆動の搬送モータにより駆動されている。第三駆動部３２に固着された駆動プーリ３２ａには、搬送ベルト２７ｃが巻回され、振分部１４まで搬送されてくる紙幣のほぼ中央を挟持搬送する。また、第三駆動部３２には、第三駆動部３２の対向側に搬送ベルト２７ｃと当接する搬送ローラ２８が設けられていて、搬送ローラ２８の上部にはアクチュエータの動作により搬送されてくる紙幣の通過を検知する紙幣通過検知センサー２６が設けられている。
【００２９】
そして、遊技島３内の紙幣搬送装置４の搬送速度と紙幣収納装置１０内の紙幣搬送路２０の搬送速度が異なる。紙幣搬送装置４よりも紙幣搬送路２０の搬送速度が遅いと紙幣の受け渡しを行う紙幣受入口１２付近では紙幣詰まり等のトラブルが発生し易くなるので、一般的に紙幣搬送路２０の搬送速度は、紙幣搬送装置４の搬送速度と同等もしくは多少早く設定されている。このことにより紙幣搬送装置４から搬送されてくる紙幣をしっかりと引き込むことが可能になる。しかし、紙幣受入口１２において紙幣搬送路２０が紙幣搬送装置４からの紙幣を挟持すると、搬送速度の違いから紙幣搬送路２０は、紙幣搬送装置４から紙幣を引く抜く方向に力が働くことになるので、第一湾曲部２１付近の紙幣搬送路２０内では、第一駆動部３０の搬送ベルト２７ａと紙幣との間でスリップ現象が発生することがある。紙幣搬送路２０内で、スリップ現象が発生した場合、従来のように駆動側に設けられた回転検知部から得られる回転数から判別した紙幣の長さは、実際の紙幣よりも長いデータになるので、真券と判断されずにリジェクト部９０へ搬送されてしまう。
【００３０】
しかし、紙幣搬送路２０内で上記のようなスリップ現象が発生しても従動部３３側は紙幣と確実に当接したまま動作するので、第一駆動部３０に対向した従動部３３に回転検知部３４を設けることで、正確に従動部３３の作動状態を把握するための回転数を検知することができ、紙幣の長さを判別することが可能になるので、スリップ現象による紙幣の判別不良を無くすことができる。
【００３１】
次に、図４、図５を参照して、本発明のもう１つの要旨である付勢手段（付勢部材７８ａ、７８ｂ）を備えた第一支持部７１及び第二支持部７２を備えた紙幣挟持板７３について説明する。
本発明の紙幣収納装置１０において、紙幣収納部７０の下部には、第一支持部７１と第二支持部７２が往復移動可能に設けられ、第一支持部７１及び第二支持部７２の中央部には一本の摺動軸７５が挿通されている。紙幣挟持板７３は、紙幣の幅より若干幅広の高さを有し、第二支持部７２によって立設した状態で固着され、紙幣収納部７０の底面中央部位に開口した長方形状の摺動開口孔７４内を往復動するように成している。摺動軸７５は紙幣収納部７０の右側面の下部にある右下壁７６及び左側面の下部にある左下壁７７に固着され、紙幣挟持板７３は第一支持部７１及び第二支持部７２と共に摺動軸７５に沿って摺動するように形成されている。摺動軸７５には、第一支持部７１と第二支持部７２という２つの支持部が挿通していて、紙幣収納部７０の左下壁７７と第一支持部７１の一端（図４では、摺動軸の上側）とが付勢部材７８ａにより伸縮自在に係着され、さらに第一支持部７１の一端（図４では、摺動軸の下側）と紙幣挟持板７３が立設した第二支持部７２の一端（図４では、摺動軸の下側）とが付勢部材７８ｂにより伸縮自在に接続されている。よって、紙幣挟持板７３は付勢部材７８ａ、７８ｂにより常時開口枠方向に付勢されるので、収納された紙幣を紙幣収納部７０内で紙幣待機部６０方向に向かって挟持状態を保持することができるようになっている。
【００３２】
また、第一支持部７１及び紙幣挟持板７３を固着した第二支持部７２の最下部にはコの字型のローラ支持片７１ａが一体で形成され、ローラ支持片７１ａ、７２ａの下面には回動ローラ７１ｂ、７２ｂが転動可能に取付けられていて、回動ローラ７１ｂ、７２ｂは底面から浮遊した状態（底面から僅かの隙間を有している。）と成しているが、摺動すると回転ローラ７１ｂ、７２ｂがコの字型で上面が開放した回転ローラガイド７９の側壁内側面に当接して支持している。回動ローラ７１ｂ、７２ｂがコの字型に形成された回転ローラガイド７９の側壁内側面に当接して、回転ローラガイド７９側壁内側面で左右への規制を受けることにより第一支持部７１または第二支持部７２を支持する機構とすることでスムーズな摺動動作が可能となる。その結果、紙幣挟持板７３は、回動ローラ７１ｂ、７２ｂ及び摺動軸７５によって第一支持部７１及び第二支持部７２が支えられることにより、紙幣の積層方向にスムーズに摺動することが可能となる。
【００３３】
また、第一支持部７１と第二支持部７２とに夫々に付勢部材７８ａ、７８ｂを設けることで、店員などが行う紙幣の回収作業時等に、紙幣収納部７０の中から紙幣を取り出すと、紙幣挟持板７３が付勢部材７８ａの復元力により紙幣待機部方向へ戻されるが、第一支持部７１及び第二支持部７２が各付勢部材の復元力で紙幣待機部６０方向に動作し、第一支持部７１が紙幣待機部６０方向へ戻ると、ある時点（第一支持部７１に設けられた付勢部材７８ａの付勢力が０になった点）を過ぎると、第一支持部の付勢部材７８ａの反発力が第二支持部７２の復元力に対して逆に作用するので、第二支持部７２の復元動作の速度が緩和され、滑らかな復元動作になる。また、遊技場では、営業中における紙幣収納装置からの紙幣回収業務は、防犯上の理由からできるだけ少ない回数で処理が望まれているので、紙幣収納枚数の許容を増やさなければならない。このことにより紙幣挟持板７３の付勢部材には大きな負担が掛かるので、本発明のように付勢部材を支持部毎に夫々設けることで、付勢部材への使用上の負荷を軽減することができる。また、紙幣収納部が一つなので、紙幣回収作業も一箇所で済むので紙幣回収作業に掛かる時間の短縮が可能になる。
【００３４】
以上の構成により紙幣挟持板７３は回動ローラ７１ｂ、７２ｂ及び摺動軸７５によって円滑に摺動し、第一支持部７１及び第二支持部７２の付勢部材７８ａ、７８ｂにより往復動するので店員が満杯時等の作業において、紙幣挟持板７３を持って摺動操作を行う際、紙幣の回収作業を容易に行うことができ、さらに紙幣挟持板７３は、紙幣押出部６３の押出動作と連動しているため、紙幣挟持板７３を押し出すスタックモータ６４にも負荷がかからず故障することがなくなる。また、収納枚数の増加による紙幣挟持板７３の摺動範囲が増加しても、付勢部材を第一支持部７１と第二支持部７２に分けて設置させたので、付勢部材７８ａ、７８ｂに掛かる負荷を軽減することができる。尚、ここの説明では付勢部材として、ねじりバネの使用で説明したが、ねじりバネ以外にも板バネ等の付勢力を持った部材を用いても良い。
【００３５】
【発明の効果】
以上の説明で明らかなように本発明の請求項１によれば、紙幣収納装置の搬送路内において、紙幣識別部を含む紙幣搬送路では、従来のように紙幣搬送路の駆動部である搬送モータの回転数検知から紙幣の長さを判別するのではなく、紙幣搬送路の駆動部に対向して設けられた従動部に作動検知手段を設け、作動検知手段としての回転検知部によって搬送されてくる紙幣に当接した従動ローラが固着された従動軸の回転数を検知することにより搬送される紙幣の長さを判別するので、紙幣搬送路内でスリップ現象が発生しても、紙幣の長さを確実に判別することができるので、スリップ現象による判別不良を無くすことが可能になる。
【００３６】
加えて、本発明の請求項２によれば、金種を区別することなく混合して収納する紙幣収納装置内では、紙幣を挟持収納する紙幣挟持板の可動距離が長くなるが、紙幣収納部内の紙幣挟持板の摺動において、付勢部材を第一支持部と第二支持部に分けて設けることで、付勢部材に掛かる使用上の負荷を軽減することできるので、収納装置内の付勢部材に係るトラブルを解消することが可能になる。また、このことにより営業中の遊技場において、紙幣回収作業の回数や作業時間を減らすことができるので、金銭管理上の安全性の向上や店員等の従業員への作業負荷も軽減することができる。
【図面の簡単な説明】
【図１】本発明の紙幣収納装置の紙幣搬送路を示す概略説明図
【図２】本発明の紙幣後端回避部で丈長の紙幣後端を湾曲させた状態説明図
【図３】本発明の作動検知手段を含む紙幣搬送路の内部構成説明図
【図４】本発明の紙幣挟持部が収納された紙幣を挟持している状態図
【図５】本発明の紙幣収納装置の正面内部の説明図
【図６】本発明の紙幣収納装置を備えた島管理装置を設置した遊技島概略図
【符号の説明】
１　　遊技台
２　　遊技媒体貸出機
３　　遊技島
４　　紙幣搬送装置
５　　島管理装置
１０　紙幣収納装置
２０　紙幣搬送路
２４　紙幣識別部
３４　作動検知手段（回転検知部）
４０　紙幣誘導部
５０　紙幣引込部
６０　紙幣待機部
６３　紙幣押出部
７０　紙幣収納部
７１　第一支持部
７２　第二支持部
７３　紙幣挟持板
７８　付勢部材
８０　紙幣後端回避部
９０　リジェクト部
Ｂ　　紙幣
Ｐ　　紙幣挟持面
【図１】
2004086335.tif 000003
【図２】
2004086335.tif 000004
【図３】
2004086335.tif 000005
【図４】
2004086335.tif 000006
【図５】
2004086335.tif 000007
【図６】
2004086335.tif 000008